(57)【要約】【課題】媒体に定着させた電子回路チップが剥離されることを防止できる電子回路チップ定着装置及び媒体判定装置を提供すること。【解決手段】電波を介してデータを送受信する電子回路チップを収容するチップ収容部１０２と、電子回路チップの形状に基づいて形成されたダミーチップを収容するダミーチップ収容部１０３と、チップ収容部１０２に収容された少なくとも１つの電子回路チップ及びダミーチップ収容部１０３に収容された少なくとも１つのダミーチップを媒体に定着させるチップ定着部１５０と、を備える。【選択図】　図１
2004110139.tif 000002
【特許請求の範囲】
【請求項１】
電波を介してデータを送受信する電子回路チップを収容するチップ収容部と、前記電子回路チップの形状に基づいて形成されたダミーチップを収容するダミーチップ収容部と、
前記チップ収容部に収容された少なくとも１つの電子回路チップ及び前記ダミーチップ収容部に収容された少なくとも１つのダミーチップを媒体に定着させるチップ定着部と、を備えたことを特徴とする電子回路チップ定着装置。
【請求項２】
前記電子回路チップ及び前記ダミーチップのいずれかのチップを乱数に基づいて選択するチップ選択部を備え、
前記チップ定着部が、前記チップ選択部によってそれぞれ選択されたチップを前記媒体に定着させるようにしたことを特徴とする請求項１に記載の電子回路チップ定着装置。
【請求項３】
前記電子回路チップに書込むための格納情報を取得する格納情報取得部と、
取得された格納情報を分割する格納情報分割部と、
分割された分割格納情報を前記電子回路チップにそれぞれ書込む格納情報書込部と、を備え、
前記チップ定着部が、前記分割格納情報が書込まれた電子回路チップを前記媒体に定着させるようにしたことを特徴とする請求項１又は請求項２に記載の電子回路チップ定着装置。
【請求項４】
電波を介してデータを送受信する電子回路チップを収容するチップ収容部と、
前記電子回路チップに書込むための格納情報を取得する格納情報取得部と、
取得された格納情報を分割する格納情報分割部と、
分割された分割格納情報を前記電子回路チップにそれぞれ書込む格納情報書込部と、
前記分割格納情報が格納された電子回路チップを媒体に定着させるチップ定着部と、を備えたことを特徴とする電子回路チップ定着装置。
【請求項５】
前記電子回路チップを定着させる前記媒体上の各位置を示す定着位置情報を生成する定着位置情報生成部を備え、
前記格納情報分割部が、分割された分割格納情報に前記定着位置情報をそれぞれ付加し、
前記チップ定着部が、前記定着位置情報に基づいて前記電子回路チップを前記媒体に定着させるようにしたことを特徴とする請求項３又は請求項４に記載の電子回路チップ定着装置。
【請求項６】
電波を介してデータを送受信する電子回路チップを収容するチップ収容部と、前記電子回路チップを定着させる媒体上の各位置を示す定着位置情報を生成する定着位置情報生成部と、
生成された定着位置情報を前記電子回路チップにそれぞれ書込む格納情報書込部と、
前記定着位置情報に基づいて前記電子回路チップを前記媒体にそれぞれ定着させるチップ定着部と、を備えたことを特徴とする電子回路チップ定着装置。
【請求項７】
少なくとも１つの情報が分割された分割格納情報を格納し、１つの媒体に定着されている複数の電子回路チップから、前記分割格納情報を読取る分割格納情報読取部と、
読取られた分割格納情報の整合性を判定する分割格納情報判定部と、を備えたことを特徴とする媒体判定装置。
【請求項８】
前記分割格納情報が、前記媒体上に定着されたそれぞれの前記電子回路チップの位置を示す定着位置情報を含み、
前記電子回路チップがそれぞれ定着された前記媒体上の位置を検出する定着位置検出部と、
検出された位置と前記分割格納情報に含まれる前記定着位置情報に示された位置とが一致しているか否かを判定する定着位置判定部と、を備えたことを特徴とする請求項７に記載の媒体判定装置。
【請求項９】
１つの媒体に定着されている複数の電子回路チップから、それぞれの前記電子回路チップが定着された前記媒体上の位置を示す定着位置情報を読取る分割格納情報読取部と、
前記電子回路チップがそれぞれ定着された前記媒体上の位置を検出する定着位置検出部と、
検出された位置と前記定着位置情報に示された位置とが一致しているか否かを判定する定着位置判定部と、を備えたことを特徴とする媒体判定装置。
【請求項１０】
前記媒体上の位置を示す定着位置情報を前記電子回路チップと対応させて予め格納する定着位置情報格納部と、
前記電子回路チップがそれぞれ定着された前記媒体上の位置を検出する定着位置検出部と、
検出された位置と前記分割格納情報に含まれる前記定着位置情報に示された位置とが一致しているか否かを判定する定着位置判定部と、を備えたことを特徴とする請求項７に記載の媒体判定装置。
【請求項１１】
媒体上の位置を示す複数の定着位置情報を予め格納する定着位置情報格納部と、
電子回路チップがそれぞれ定着された前記媒体上の位置を検出する定着位置検出部と、
検出された位置と前記定着位置情報に示された位置とが一致しているか否かを判定する定着位置判定部と、を備えたことを特徴とする媒体判定装置。
【発明の詳細な説明】
【０００１】
【産業上の利用分野】
本発明は、電子回路チップを使用し、紙幣や有価証券等の媒体の偽造を防止する電子回路チップ定着装置及び媒体判定装置に関するものである。
【０００２】
【従来の技術】
従来、電子回路チップを使用し、紙幣や有価証券等の媒体の偽造を防止する技術としては、記録媒体に記録されたデータを記録媒体に付された電子回路チップに予め登録し、電子回路チップに登録されたデータと記録媒体から読取られたデータとを比較することによって偽造された記録媒体を検出する技術が知られている。
【０００３】
例えば、特許文献１には、紙幣や有価証券等の予め登録された記録媒体の画像データと読取られた記録媒体の画像データとを比較して判定された類似度に応じて読取られた記録媒体の画像データの処理を変更することによって不正な記録媒体の複製を防止する技術が開示されている。
【０００４】
また、特許文献２には、記録媒体に記録された可視情報を記録媒体に装着された電子回路チップに暗号化して格納し、記録媒体に記録された可視情報と記録媒体に格納されている情報とを比較し、記録媒体の真贋判定を行う技術が開示されている。
【０００５】
また、特許文献３及び特許文献４には、記録媒体を識別するための識別情報を記録媒体に装着された電子回路チップに格納すると共に、記録媒体に記録された情報を識別情報と対応させて情報管理センターに登録し、電子回路チップに格納された識別情報に基づいて情報管理センターに登録された情報を取得し、記録媒体の真贋判定を行う技術が開示されている。
【０００６】
また、特許文献５には、記録媒体の利用を許容するか禁止するかを示すロック情報と、ロック情報を変更するための暗号情報を電子回路チップに格納することによって記録媒体の不正利用を防止する技術が開示されている。
【０００７】
また、特許文献６には、電子線により硬化する化合物を含む電子線硬化型成分を主成分とした封止剤により電子回路チップを記録媒体に定着させる技術が開示されている。
【０００８】
【特許文献１】
特開平６−１０５１３６号公報（段落番号００２０乃至００２７、図１）
【特許文献２】
国際公開第００／３４９２３号パンフレット（第４の実施例、図１０）
【特許文献３】
特開２００１−２０２４８６号公報（段落番号００２２乃至００２８、図３）
【特許文献４】
特開２００１−３５７３７７号公報（段落番号００７５乃至段落番号００７８、及び段落番号００８３乃至段落番号００８４、図３７及び図３８）
【特許文献５】
特開２００１−２６０５８０号公報（段落番号００１５乃至００２１、図１及び図２）
【特許文献６】
特開２００２−２０３２２０号公報（段落番号００１４、図１）
【０００９】
【発明が解決しようとする課題】
しかしながら、このような従来の技術では、媒体に定着させた電子回路チップが目視で識別できてしまうため、意図的に電子回路チップを剥離することが容易であるといった問題があった。
【００１０】
本発明は、このような問題を解決するためになされたもので、媒体に定着させた電子回路チップが剥離されることを防止できる電子回路チップ定着装置及び媒体判定装置を提供するものである。
【００１１】
【課題を解決するための手段】
本発明の請求項１に係る電子回路チップ定着装置は、電波を介してデータを送受信する電子回路チップを収容するチップ収容部と、前記電子回路チップの形状に基づいて形成されたダミーチップを収容するダミーチップ収容部と、前記チップ収容部に収容された少なくとも１つの電子回路チップ及び前記ダミーチップ収容部に収容された少なくとも１つのダミーチップを媒体に定着させるチップ定着部と、によって構成されている。
【００１２】
この構成により、媒体に電子回路チップを定着させる他にダミーチップを定着させるため、媒体に定着させた電子回路チップが特定されず、意図的に電子回路チップが剥離されることを防止できる。
【００１３】
本発明の請求項２に係る電子回路チップ定着装置は、請求項１において、前記電子回路チップ及び前記ダミーチップのいずれかのチップを乱数に基づいて選択するチップ選択部を備え、前記チップ定着部が、前記チップ選択部によってそれぞれ選択されたチップを前記媒体に定着させるように構成されている。
【００１４】
この構成により、請求項１の効果に加えて、電子回路チップ及びダミーチップをそれぞれ乱数に基づいて媒体に定着させるため、媒体に定着させた電子回路チップが特定されず、意図的に電子回路チップが剥離されることを防止できる。
【００１５】
本発明の請求項３に係る電子回路チップ定着装置は、請求項１又は請求項２において、前記電子回路チップに書込むための格納情報を取得する格納情報取得部と、取得された格納情報を分割する格納情報分割部と、分割された分割格納情報を前記電子回路チップにそれぞれ書込む格納情報書込部と、を備え、前記チップ定着部が、前記分割格納情報が書込まれた電子回路チップを前記媒体に定着させるようにした構成されている。
【００１６】
この構成により、請求項１又は請求項２の効果に加えて、電子回路チップに格納する情報を分割して、分割された分割格納情報を電子回路チップにそれぞれ格納するため、格納できる情報量を増加させることができ、格納情報が復元できるか否かによって電子回路チップが剥離又は改ざんされたか否かを判定することができる。
【００１７】
本発明の請求項４に係る電子回路チップ定着装置は、電波を介してデータを送受信する電子回路チップを収容するチップ収容部と、前記電子回路チップに書込むための格納情報を取得する格納情報取得部と、取得された格納情報を分割する格納情報分割部と、分割された分割格納情報を前記電子回路チップにそれぞれ書込む格納情報書込部と、前記分割格納情報が格納された電子回路チップを媒体に定着させるチップ定着部と、によって構成されている。
【００１８】
この構成により、電子回路チップに格納する情報を分割して、分割された分割格納情報を電子回路チップにそれぞれ格納するため、格納できる情報量を増加させることができ、格納情報が復元できるか否かによって電子回路チップが剥離又は改ざんされたか否かを判定することができる。
【００１９】
本発明の請求項５に係る電子回路チップ定着装置は、請求項３又は請求項４において、前記電子回路チップを定着させる前記媒体上の各位置を示す定着位置情報を生成する定着位置情報生成部を備え、前記格納情報分割部が、分割された分割格納情報に前記定着位置情報をそれぞれ付加し、前記チップ定着部が、前記定着位置情報に基づいて前記電子回路チップを前記媒体に定着させるように構成されている。
【００２０】
この構成により、請求項３又は請求項４の効果に加えて、電子回路チップを定着させる媒体上の位置を示す定着位置情報を電子回路チップにそれぞれ格納するため、電子回路チップが定着された位置と電子回路チップに格納された定着位置に示された位置とが一致するか否かによって電子回路チップが剥離又は改ざんされたか否かを判定することができる。
【００２１】
本発明の請求項６に係る電子回路チップ定着装置は、電波を介してデータを送受信する電子回路チップを収容するチップ収容部と、前記電子回路チップを定着させる媒体上の各位置を示す定着位置情報を生成する定着位置情報生成部と、生成された定着位置情報を前記電子回路チップにそれぞれ書込む格納情報書込部と、前記定着位置情報に基づいて前記電子回路チップを前記媒体にそれぞれ定着させるチップ定着部と、によって構成されている。
【００２２】
この構成により、電子回路チップを定着させる媒体上の位置を示す定着位置情報を電子回路チップにそれぞれ格納するため、電子回路チップが定着された位置と電子回路チップに格納された定着位置に示された位置とが一致するか否かによって電子回路チップが剥離又は改ざんされたか否かを判定することができる。
【００２３】
本発明の請求項７に係る媒体判定装置は、少なくとも１つの情報が分割された分割格納情報を格納し、１つの媒体に定着されている複数の電子回路チップから、前記分割格納情報を読取る分割格納情報読取部と、読取られた分割格納情報の整合性を判定する分割格納情報判定部と、によって構成されている。
【００２４】
この構成により、媒体に定着された複数の電子回路チップに分割して格納されたそれぞれの分割格納情報の整合性を判定するため、電子回路チップが剥離又は改ざんされたか否かを判定することができる。
【００２５】
本発明の請求項８に係る媒体判定装置は、請求項７において、前記分割格納情報が、前記媒体上に定着されたそれぞれの前記電子回路チップの位置を示す定着位置情報を含み、前記電子回路チップがそれぞれ定着された前記媒体上の位置を検出する定着位置検出部と、検出された位置と前記分割格納情報に含まれる前記定着位置情報に示された位置とが一致しているか否かを判定する定着位置判定部と、によって構成されている。
【００２６】
この構成により、請求項７の効果に加えて、電子回路チップに格納された媒体上の位置を示す定着位置情報と検出された電子回路チップが定着された位置とが一致するか否かを判定するため、電子回路チップが剥離又は改ざんされたか否かを判定することができる。
【００２７】
本発明の請求項９に係る媒体判定装置は、１つの媒体に定着されている複数の電子回路チップから、それぞれの前記電子回路チップが定着された前記媒体上の位置を示す定着位置情報を読取る分割格納情報読取部と、前記電子回路チップがそれぞれ定着された前記媒体上の位置を検出する定着位置検出部と、検出された位置と前記定着位置情報に示された位置とが一致しているか否かを判定する定着位置判定部と、によって構成されている。
【００２８】
この構成により、電子回路チップに格納された媒体上の位置を示す定着位置情報と検出された電子回路チップが定着された位置とが一致するか否かを判定するため、電子回路チップが剥離又は改ざんされたか否かを判定することができる。
【００２９】
本発明の請求項１０に係る媒体判定装置は、請求項７において、前記媒体上の位置を示す定着位置情報を前記電子回路チップと対応させて予め格納する定着位置情報格納部と、前記電子回路チップがそれぞれ定着された前記媒体上の位置を検出する定着位置検出部と、検出された位置と前記分割格納情報に含まれる前記定着位置情報に示された位置とが一致しているか否かを判定する定着位置判定部と、によって構成されている。
【００３０】
この構成により、請求項７の効果に加えて、予め定められた媒体上の電子回路チップに対応した位置と検出された電子回路チップが定着された位置とが一致するか否かを判定するため、電子回路チップが剥離又は改ざんされたか否かを判定することができる。
【００３１】
本発明の請求項１１に係る媒体判定装置は、媒体上の位置を示す複数の定着位置情報を予め格納する定着位置情報格納部と、電子回路チップがそれぞれ定着された前記媒体上の位置を検出する定着位置検出部と、検出された位置と前記定着位置情報に示された位置とが一致しているか否かを判定する定着位置判定部と、によって構成されている。
【００３２】
この構成により、予め定められた媒体上の電子回路チップに対応した位置と検出された電子回路チップが定着された位置とが一致するか否かを判定するため、電子回路チップが剥離又は改ざんされたか否かを判定することができる。
【００３３】
【発明の実施の形態】
以下、本発明の実施の形態を図面を参照して説明する。
（第１の実施の形態）
図１は、本発明の第１の実施の形態に係る電子回路チップ定着装置１００の構成を示すブロック図である。
【００３４】
電子回路チップ定着装置１００は、媒体固定部１０１と、チップ収容部１０２と、ダミーチップ収容部１０３と、模様読込部１１０と、表示部１２０と、定着位置情報生成部１３０と、チップ選択部１４０と、チップ定着部１５０と、から構成され、チップ収容部１０２に収容された電子回路チップ又はダミーチップ収容部１０３に収容されたダミーチップを媒体固定部１０１に固定された媒体、すなわち被定着媒体に定着させるようになっている。ここで、ダミーチップは、チップ収容部１０２に収容された電子回路チップの形状に基づいて電子回路チップの形状と目視で識別ができない程度の形状に形成されたものである。
【００３５】
チップ収容部１０２は、電波を介してデータを送受信する少なくとも１つの電子回路チップを収容するようになっており、収容された電子回路チップをチップ定着部１５０に搬送するようになっている。
【００３６】
ダミーチップ収容部１０３は、前述したダミーチップを収容するようになっており、収容されたダミーチップをチップ定着部１５０に搬送するようになっている。
【００３７】
模様読込部１１０は、スキャナによって構成され、被定着媒体の表面に施されている模様を読込んで画像データを生成し、生成された画像データを表示部１２０に出力するようになっている。
【００３８】
表示部１２０は、ディスプレイ装置等の画像を表示できる装置によって構成され、模様読込部１１０によって出力された画像データに基づいて画像を以って被定着媒体の表面に施されている模様を表示するようになっている。
【００３９】
定着位置情報生成部１３０は、キーボード装置及びポインティング装置等の入力装置によって構成され、利用者に被定着媒体上の電子回路チップ及びダミーチップを定着させる定着位置を指定させ、指定された定着位置を示す定着位置情報をチップ選択部１４０に出力するようになっている。
【００４０】
定着位置情報生成部１３０によって出力された定着位置情報は、チップ選択部１４０に入力されるようになっており、チップ選択部１４０は、入力された定着位置情報に示された定着位置に電子回路チップ又はダミーチップのいずれかのチップを定着させるかを選択するチップ選択を行い、入力された定着位置情報にチップ選択の結果を付加し、チップ選択の結果が付加された定着位置情報をチップ定着部１５０に出力するようになっている。
【００４１】
ここで、チップ選択部１４０は、チップ選択を乱数に基づいて行うようになっている。以下に、チップ選択の一例を説明する。
図２は、チップ選択部１４０におけるチップ選択の例を示す説明図であり、被定着媒体に７個の電子回路チップと１１個のダミーチップとを定着させる場合の例である。
【００４２】
列２１０は、定着位置情報を識別するための識別番号を示している。列２２０は、それぞれの定着位置情報に割り当てられた乱数を示している。列２３０は、列２２０に示される乱数のうち大きな値から７個の乱数に１を割り当て、１を割り当てた乱数以外の乱数に０を割り当てた２値データを示している。
【００４３】
以上より、各定着位置情報に割り当てられた２値データが１を示している場合には、電子回路チップを定着させ、０を示している場合には、ダミーチップを定着させるといった結果が得られる。
【００４４】
なお、電子回路チップ定着装置１００は、各定着位置に電子回路チップ又はダミーチップのいずれかのチップを定着させるかをチップ選択部１４０に選択させるようになっているが、定着位置情報生成部１３０を介して利用者に被定着媒体上の電子回路チップ及びダミーチップを定着させる位置を指定させる他に電子回路チップ又はダミーチップのいずれかのチップを定着させるかを指定させるようにしてもよい。
【００４５】
定着位置情報生成部１３０を介して電子回路チップ又はダミーチップのいずれかのチップを定着させるかを指定させるようにした場合には、電子回路チップ定着装置１００の構成からチップ選択部１４０を除く。
【００４６】
チップ選択部１４０によって出力された定着位置情報は、チップ定着部１５０に出力されるようになっており、チップ定着部１５０は、入力された定着位置情報に基づいて、チップ収容部１０２より搬送された電子回路チップとダミーチップ収容部１０３より搬送されたダミーチップとを媒体固定部１０１に固定された被定着媒体に定着させるようになっている。
【００４７】
次に、電子回路チップ定着装置１００の動作をフローチャートを参照して説明する。
電子回路チップ定着装置１００を動作させるに先立って、電子回路チップ定着装置１００の利用者又は管理者によって、以下に示す準備が行われているものとする。
【００４８】
チップ収容部１０２には、電子回路チップを収容し、ダミーチップ収容部１０３には、ダミーチップを収容する。
以上に示された準備が完了している状態で、被定着媒体を媒体固定部１０１に固定させ、電子回路チップ定着装置１００を動作させる。
【００４９】
図３は、電子回路チップ定着装置１００の動作を示すフローチャートである。まず、模様読込部１１０によって被定着媒体の表面に施されている模様が読込まれ（Ｓ３１０）、読込まれた画像データに基づいて画像を以って表示部１２０に被定着媒体の表面に施されている模様が表示される（Ｓ３２０）。
【００５０】
次に、定着位置情報生成部１３０によって被定着媒体上の電子回路チップ及びダミーチップを定着させる定着位置を指定させる（Ｓ３３０）。
次に、指定された定着位置に電子回路チップ又はダミーチップのいずれかのチップを定着させるかを選択するチップ選択がチップ選択部１４０によって行われる（Ｓ３４０）。
【００５１】
次に、定着位置情報生成部１３０によって指定された定着位置及びチップ選択の結果に基づいてチップ収容部１０２より搬送された電子回路チップとダミーチップ収容部１０３より搬送されたダミーチップが媒体固定部１０１に固定された被定着媒体に定着される（Ｓ３５０）。
【００５２】
図４は、電子回路チップ定着装置１００によって電子回路チップ及びダミーチップが定着された被定着媒体の例を示す概念図であり、被定着媒体には、大熊座の星座の模様が施され、定着位置情報生成部１３０によって各星の位置に定着位置が指定され、塗りつぶされた円で示す定着位置に電子回路チップ、中抜きされた円で示す定着位置にダミーチップが定着された様子を示している。なお、図４における塗りつぶされた円及び中抜きされた円に付された符号は、図２で示した識別番号と対応している。
【００５３】
以上に説明したように、電子回路チップ定着装置１００によれば、媒体に電子回路チップを定着させる他にダミーチップを媒体に定着させるため、媒体に定着させた電子回路チップが特定されず、意図的に電子回路チップが剥離されることを防止できる。
【００５４】
（第２の実施の形態）
図５は、本発明の第２の実施の形態に係る電子回路チップ定着装置５００の構成を示すブロック図である。
【００５５】
電子回路チップ定着装置５００は、媒体固定部１０１と、チップ収容部５０２と、模様読込部１１０と、表示部１２０と、定着位置情報生成部５３０と、チップ定着部５５０と、格納情報取得部５６０と、格納情報分割部５６１と、格納情報書込部５６２と、から構成され、チップ収容部５０２に収容された電子回路チップを媒体固定部１０１に固定された媒体、すなわち被定着媒体に定着させるようになっている。
【００５６】
なお、本発明の第２の実施の形態に係る電子回路チップ定着装置５００においては、本発明の第１の実施の形態に係る電子回路チップ定着装置１００の構成要素と同一の構成要素に本発明の第１の実施の形態に係る電子回路チップ定着装置１００の構成要素と同一の符号を付して、その説明を省略する。
【００５７】
チップ収容部５０２は、電波を介してデータを送受信する少なくとも１つの電子回路チップを収容するようになっており、収容された電子回路チップを格納情報書込部５６２に搬送するようになっている。
【００５８】
定着位置情報生成部５３０は、キーボード装置及びポインティング装置等の入力装置によって構成され、利用者に被定着媒体上に電子回路チップを定着させる定着位置を指定させ、指定された定着位置を示す定着位置情報を格納情報分割部５６１及びチップ定着部５５０に出力するようになっている。
【００５９】
格納情報取得部５６０は、電子回路チップに格納する格納情報を取得するように構成され、格納情報をメモリや磁気ディスク等の記憶媒体より取得する場合には、記憶媒体からデータを読取る記憶媒体読取装置によって構成され、格納情報をネットワークより取得する場合には、ネットワークと通信するインタフェイス装置によって構成され、取得された格納情報を格納情報分割部５６１に出力するようになっている。なお、格納情報取得部５６０は、被定着媒体に記録されたデータより格納情報を取得する場合には、模様読込部１１０から画像データを取得するようにしてもよい。
【００６０】
格納情報取得部５６０によって出力された格納情報及び定着位置情報生成部５３０によって出力された定着位置情報は、格納情報分割部５６１に入力されるようになっており、格納情報分割部５６１は、入力された定着位置情報に示される定着位置の数を以って格納情報を分割し、定着位置情報を分割格納情報に付加し、定着位置情報が付加された分割格納情報を格納情報書込部５６２に出力するようになっている。
【００６１】
なお、格納情報分割部５６１は、格納情報を分割する際に、検査用情報が含まれた分割格納情報を生成する。ここで、検査用情報は、パリティ方式、ハミング符号方式及びＣＲＣ方式等の公知の誤り制御方式における付加ビットより構成されている。検査用情報が含まれた分割格納情報を生成することによって、分割格納情報を結合する際に分割格納情報の整合性を判定できる。
【００６２】
図６は、分割格納情報の例を示す説明図であり、旅行者小切手に関する情報を６個の電子回路チップに格納するために分割する例を示している。図６（ａ）は、格納情報分割部５６１によって分割される前の格納情報を示し、図６（ｂ）は、分割格納情報を示している。
【００６３】
図６（ａ）において、行６１１は、旅行者小切手の識別コード、すなわちＩＤを示している。行６１２は、旅行者小切手の種別コードを示している。行６１３は、旅行者小切手の額面コードを示している。
【００６４】
図６（ｂ）において、各行は、それぞれの分割格納情報を示している。列６２１は、分割格納情報に付加された定着位置情報を識別するための識別番号を示している。列６２２は、分割格納情報を結合するための順序情報を示している。列６２３は、旅行者小切手の分割されたＩＤを示している。列６２４は、旅行者小切手の分割された種別コードを示している。列６２５は、旅行者小切手の分割された額面コードを示している。ここで、順序情報が最後のデータに対応した列６２３乃至列６２５には、検査用情報が含まれている。列６２６は、定着位置情報を示している。ここで、定着位置情報は、媒体上の所定の位置を原点とした２次元座標で表わされている。
【００６５】
格納情報分割部５６１によって出力された分割格納情報は、格納情報書込部５６２に入力されるようになっており、格納情報書込部５６２は、入力された各分割格納情報をチップ収容部５０２より搬送された電子回路チップにそれぞれ書込み、分割格納情報が書込まれた電子回路チップをチップ定着部５５０に搬送するようになっている。
【００６６】
定着位置情報生成部５３０によって出力された定着位置情報は、チップ定着部５５０に出力されるようになっており、チップ定着部５５０は、入力された定着位置情報に基づいて、格納情報分割部５６１より搬送された電子回路チップを媒体固定部１０１に固定された被定着媒体に定着させるようになっている。
【００６７】
なお、電子回路チップ定着装置５００は、格納情報を分割せずに各電子回路チップにそれぞれ格納するようにしてもよい。格納情報を分割せずに各電子回路チップにそれぞれ格納するようにした場合には、格納情報分割部５６１は、格納情報に定着位置情報を付加するようにする。
【００６８】
格納情報を分割せずに各電子回路チップにそれぞれ格納するようにした場合には、全ての電子回路チップが剥離されない限り、格納情報を失うことがないため、被記録媒体の耐久性を向上させることができる。
【００６９】
以下、電子回路チップ定着装置５００の動作をフローチャートを参照して説明する。
電子回路チップ定着装置５００を動作させるに先立って、電子回路チップ定着装置５００の利用者又は管理者によって、チップ収容部５０２に電子回路チップが収容され、被定着媒体が媒体固定部１０１に固定されているものとする。
【００７０】
図７は、電子回路チップ定着装置５００の動作を示すフローチャートである。なお、電子回路チップ定着装置５００の動作において、本発明の第１の実施の形態で説明した電子回路チップ定着装置１００の動作におけるステップと同様のステップには、同一の符号が付してある。
【００７１】
まず、模様読込部１１０によって被定着媒体の表面に施されている模様が読込まれ（Ｓ３１０）、読込まれた画像データに基づいて画像を以って表示部１２０に被定着媒体の表面に施されている模様が表示される（Ｓ３２０）。
【００７２】
次に、定着位置情報生成部５３０によって被定着媒体上の電子回路チップを定着させる定着位置を指定させる（Ｓ７３０）。
次に、格納情報取得部５６０によって電子回路チップに格納する格納情報が取得され（Ｓ７４０）、定着位置情報生成部５３０によって指定された定着位置の数に基づいて格納情報が格納情報分割部５６１によって分割され（Ｓ７５０）、分割された分割格納情報に指定された定着位置を示す定着位置情報が付加される（Ｓ７６０）。
【００７３】
次に、各分割格納情報が、格納情報書込部５６２によって電子回路チップにそれぞれ書込まれ（Ｓ７７０）、分割格納情報が書込まれた電子化回路チップがそれぞれの定着位置情報に基づいて媒体固定部１０１に固定された被定着媒体に定着される（Ｓ７８０）。
【００７４】
以上説明したように、電子回路チップ定着装置５００によれば、電子回路チップに格納する情報を分割して、分割されたそれぞれの分割格納情報を電子回路チップに格納するため、格納できる情報量を増加させることができ、格納情報が復元できるか否かによって電子回路チップが剥離又は改ざんされたか否かを判定することができる。
【００７５】
また、電子回路チップ定着装置５００によれば、電子回路チップを定着させる媒体上の位置を示す定着位置情報を電子回路チップにそれぞれ格納するため、電子回路チップが定着された位置と電子回路チップに格納された定着位置に示された位置とが一致するか否かによって電子回路チップが剥離又は改ざんされたか否かを判定することができる。
【００７６】
なお、本発明は、本発明の第２の実施の形態で説明した電子回路チップ定着装置５００を構成する構成要素に加えて、前述した本発明の第１の実施の形態で説明したチップ選択部１４０及びダミーチップ収容部１０３を備えることができるが、本発明の第１の実施の形態に係る電子回路チップ定着装置１００と本発明の第２の実施の形態に係る電子回路チップ定着装置５００とを組み合わせることによって容易に実施できるため、その説明を省略する。
【００７７】
（第３の実施の形態）
図８は、本発明の第３の実施の形態に係る複写機８０００の構成を示すブロック図である。以下に説明する複写機８０００を構成する媒体判定装置８１００は、前述した本発明の第２の実施の形態に係る電子回路チップ定着装置５００によって媒体に定着された電子回路チップが剥離又は改ざんされているか否かを判定するものであり、判定された結果に基づいて複写動作を制御する複写機８０００に適用した場合について説明する。
【００７８】
複写機８０００は、媒体に定着された電子回路チップが剥離又は改ざんされているか否かを判定する媒体判定装置８１００と、媒体判定装置８１００による判定の結果に基づいて媒体に記録されたデータを読取って出力する画像形成装置８２００と、から構成されている。
【００７９】
媒体判定装置８１００は、分割格納情報読取部８１１０と、分割格納情報判定部８１２０と、定着位置検出部８１３０と、定着位置判定部８１４０と、画像形成制御部８１５０と、から構成されている。
【００８０】
分割格納情報読取部８１１０は、電子回路チップに向けて電波を送出し、送出された電波によって駆動された電子回路チップによって送出される情報を受信することによって電子回路チップに格納された情報を読取るＩＣリーダ装置によって構成され、媒体に定着された複数の電子回路チップに格納された分割格納情報を読取り、読取った分割格納情報を分割格納情報判定部８１２０、定着位置判定部８１４０及び画像形成装置８２００に出力するようになっている。なお、分割格納情報読取部８１１０が複数の電子回路チップより情報を読取る際には、公知のアンチコリジョン転送プロトコル（ＩＳＯ／ＩＥＣ　１５６９３参照）に準拠して行われる。
【００８１】
分割格納情報読取部８１１０によって出力された分割格納情報は、分割格納情報判定部８１２０に入力されるようになっており、分割格納情報判定部８１２０は、入力された分割格納情報の整合性を判定し、判定された整合判定結果を画像形成制御部８１５０に出力するようになっている。
【００８２】
ここで、分割格納情報判定部８１２０における分割格納情報の整合性の判定は、各分割格納情報の結合順序を示す順序情報が連続しているか否か、及び分割格納情報に含まれる検査用情報を用いた検査によって分割格納情報が欠損しているか否かに基づいて行われる。前述した検査用情報を用いた検査は、パリティ方式、ハミング符号方式及びＣＲＣ方式等の公知の誤り制御方式に基づいて行われる。
【００８３】
なお、分割格納情報判定部８１２０は、読取った分割格納情報に媒体が紙幣や有価証券等の複製が禁止されたものであることを示している場合には、画像形成装置８２００に複写を禁止するように、分割格納情報の整合性が取れていないと判定するようにしてもよい。
【００８４】
定着位置検出部８１３０は、電子回路チップがそれぞれ定着された媒体上の位置を検出し、検出された位置を示す定着位置情報を生成し、生成された定着位置情報を定着位置判定部８１４０に出力するようになっている。ここで、定着位置検出部８１３０は、媒体上を走査するように分割格納情報読取部８１１０を移動させ、検知された電界強度に基づいて電子回路チップの位置を検出するようしてもよいし、媒体上に配置された複数の前述したＩＣリーダ装置によって検知された電界強度に基づいて電子回路チップの位置を算出するようしてもよい。
【００８５】
分割格納情報読取部８１１０によって出力された分割格納情報及び定着位置検出部８１３０によって出力された定着位置情報は、定着位置判定部８１４０に入力されるようになっており、定着位置判定部８１４０は、入力された分割格納情報に付加されている定着位置情報に示された位置と入力された定着位置情報に示される位置とが一致しているか否かの定着位置判定を行い、定着位置判定の結果、すなわち定着位置判定結果を画像形成制御部８１５０に出力するようになっている。
【００８６】
分割格納情報判定部８１２０によって出力された整合判定結果及び定着位置判定部８１４０によって出力された定着位置判定結果は、画像形成制御部８１５０に入力されるようになっており、入力された整合判定結果と定着位置判定結果に基づいて電子回路チップが剥離又は改ざんされているか否かを判定し、判定された結果を示す情報、すなわち媒体判定結果情報を画像形成装置８２００に出力するようになっている。
【００８７】
画像形成装置８２００は、読取制御部８２１０と、データ読取部８２２０と、画像処理部８２３０と、データ記録部８２４０と、情報書込部８２５０と、から構成されている。
【００８８】
媒体判定装置８１００の画像形成制御部８１５０によって出力された媒体判定結果情報は、読取制御部８２１０に入力されるようになっており、読取制御部８２１０は、入力された媒体判定結果情報が電子回路チップが剥離及び改ざんされていない旨を示す場合には、データ読取部８２２０に媒体に記録されたデータを読取るよう制御する読取制御信号を生成し、媒体判定結果情報が電子回路チップが剥離又は改ざんされた旨を示す場合には、データ読取部８２２０に媒体に記録されたデータを読取らせないよう制御する読取制御信号を生成し、生成された読取制御信号をデータ読取部８２２０に出力するようになっている。
【００８９】
読取制御部８２１０によって出力された読取制御信号は、データ読取部８２２０に入力されるようになっており、データ読取部８２２０は、光学的に媒体に記録された画像を読取るスキャナによって構成され、入力された読取制御信号に基づいて媒体に記録されたデータ、すなわち画像データを読取り、読取られた画像データを画像処理部８２３０に出力するようになっている。
【００９０】
データ読取部８２２０によって出力された画像データは、画像処理部８２３０に入力されるようになっており、画像処理部８２３０は、階調処理や色変換等の入力された画像データの調節を行い、調節された画像データをデータ記録部８２４０に出力するようになっている。
【００９１】
画像処理部８２３０によって出力された画像データは、データ記録部８２４０に入力されるようになっており、データ記録部８２４０は、入力された画像データに基づいて記録対象となる媒体に画像を記録するようになっている。
【００９２】
媒体判定装置８１００の分割格納情報読取部８１１０によって出力された分割格納情報は、情報書込部８２５０に入力されるようになっており、情報書込部８２５０は、入力された分割格納情報に基づいて記録対象となる媒体に定着された電子回路チップに分割格納情報を書込むようになっている。
【００９３】
以下、媒体判定装置８１００の動作をフローチャートを参照して説明する。
図９は、媒体判定装置８１００の判定動作を示すフローチャートである。
【００９４】
まず、媒体に定着された複数の電子回路チップに格納された分割格納情報が分割格納情報読取部８１１０によって読取られる（Ｓ９１０）。
次に、分割格納情報読取部８１１０によって読取られた分割格納情報の整合性が分割格納情報判定部８１２０によって判定される（Ｓ９２０）。
【００９５】
分割格納情報判定部８１２０によって分割格納情報の整合が取れていると判定された場合には、電子回路チップがそれぞれ定着された媒体上の位置が定着位置検出部８１３０によって検出され（Ｓ９３０）、分割格納情報に付加されている定着位置情報に示された位置と入力された定着位置情報に示される位置とが一致しているか否かの定着位置判定が定着位置判定部８１４０によって行われる（Ｓ９４０）。
【００９６】
ここで、定着位置判定部８１４０によって分割格納情報に付加されている定着位置情報に示された位置と入力された定着位置情報に示される位置とが一致していると判定された場合には、画像形成制御部８１５０によって電子回路チップが剥離又は改ざんされていないと判定される（Ｓ９５０）。
【００９７】
一方、分割格納情報判定部８１２０によって分割格納情報の整合が取れていないと判定され、又は定着位置判定部８１４０によって分割格納情報に付加されている定着位置情報に示された位置と入力された定着位置情報に示される位置とが一致していないと判定された場合には、画像形成制御部８１５０によって電子回路チップが剥離又は改ざんされていると判定される（Ｓ９６０）。
【００９８】
以上に説明した媒体判定装置８１００の判定動作においては、ステップＳ９２０の判定とＳ９４０との判定の順序を入れ換え、定着位置判定を行った後に分割格納情報の整合性を判定するようにしてもよい。
【００９９】
以上に説明したように、媒体判定装置８１００によれば、媒体に定着された複数の電子回路チップに分割して格納されたそれぞれの分割格納情報の整合性を判定するため、電子回路チップが剥離又は改ざんされたか否かを判定することができる。
【０１００】
（第４の実施の形態）
図１０は、本発明の第４の実施の形態に係る複写機９０００の構成を示すブロック図である。以下に説明する複写機９０００を構成する媒体判定装置９１００は、媒体上の予め定められた位置に定着された電子回路チップが剥離又は改ざんされているか否かを判定するものであり、判定された結果に基づいて複写動作を制御する複写機９０００に適用した場合について説明する。
【０１０１】
複写機９０００は、媒体に定着された電子回路チップが剥離又は改ざんされているか否かを判定する媒体判定装置９１００と、媒体判定装置９１００による判定の結果に基づいて媒体に記録されたデータを読取って出力する画像形成装置８２００と、から構成されている。
【０１０２】
なお、本発明の第４の実施の形態に係る複写機９０００においては、本発明の第３の実施の形態に係る複写機８０００の構成要素と同一の構成要素に本発明の第３の実施の形態に係る複写機８０００の構成要素と同一の符号を付して、その説明を省略する。
【０１０３】
媒体判定装置９１００は、分割格納情報読取部９１１０と、分割格納情報判定部８１２０と、定着位置検出部８１３０と、定着位置判定部９１４０と、画像形成制御部８１５０と、定着位置情報格納部９１６０と、から構成されている。
【０１０４】
なお、本発明の第４の実施の形態に係る媒体判定装置９１００においては、本発明の第３の実施の形態に係る媒体判定装置８１００の構成要素と同一の構成要素に本発明の第３の実施の形態に係る媒体判定装置８１００の構成要素と同一の符号を付して、その説明を省略する。
【０１０５】
分割格納情報読取部９１１０は、電子回路チップに向けて電波を送出し、送出された電波によって駆動された電子回路チップによって送出される情報を受信することによって電子回路チップに格納された情報を読取るＩＣリーダ装置によって構成され、媒体に定着された複数の電子回路チップに格納された分割格納情報を読取り、読取った分割格納情報を分割格納情報判定部８１２０、及び画像形成装置８２００に出力するようになっている。なお、分割格納情報読取部９１１０が複数の電子回路チップより情報を読取る際には、公知のアンチコリジョン転送プロトコル（ＩＳＯ／ＩＥＣ　１５６９３参照）に準拠して行われる。
【０１０６】
定着位置情報判定部９１６０は、媒体上の位置を示す定着位置情報を前記電子回路チップと対応させて予め格納するようになっている。
定着位置検出部８１３０によって出力された定着位置情報は、定着位置判定部９１４０に入力されるようになっており、定着位置判定部９１４０は、定着位置情報判定部９１６０に格納されている定着位置情報を取得し、取得された定着位置情報に示された位置と入力された定着位置情報に示される位置とが一致しているか否かの定着位置判定を行い、定着位置判定の結果、すなわち定着位置判定結果を画像形成制御部８１５０に出力するようになっている。
【０１０７】
以下、媒体判定装置９１００の動作をフローチャートを参照して説明する。
図１１は、媒体判定装置９１００の判定動作を示すフローチャートである。なお、媒体判定装置９１００の判定動作において、本発明の第３の実施の形態で説明した媒体判定装置８１００の判定動作におけるステップと同様のステップには、同一の符号が付してある。
【０１０８】
まず、媒体に定着された複数の電子回路チップに格納された分割格納情報が分割格納情報読取部９１１０によって読取られる（Ｓ９１０）。
次に、分割格納情報読取部９１１０によって読取られた分割格納情報の整合性が分割格納情報判定部８１２０によって判定される（Ｓ９２０）。
【０１０９】
分割格納情報判定部８１２０によって分割格納情報の整合が取れていると判定された場合には、電子回路チップがそれぞれ定着された媒体上の位置が定着位置検出部８１３０によって検出され（Ｓ９３０）、定着位置情報判定部９１６０に格納されている定着位置情報に示された位置と入力された定着位置情報に示される位置とが一致しているか否かの定着位置判定が定着位置判定部９１４０によって行われる（Ｓ１０４０）。
【０１１０】
ここで、定着位置判定部９１４０によって定着位置情報判定部９１６０に格納されている定着位置情報に示された位置と入力された定着位置情報に示される位置とが一致していると判定された場合には、画像形成制御部８１５０によって電子回路チップが剥離又は改ざんされていないと判定される（Ｓ９５０）。
【０１１１】
一方、分割格納情報判定部８１２０によって分割格納情報の整合が取れていないと判定され、又は定着位置判定部９１４０によって定着位置情報判定部９１６０に格納されている定着位置情報に示された位置と入力された定着位置情報に示される位置とが一致していないと判定された場合には、画像形成制御部８１５０によって電子回路チップが剥離又は改ざんされていると判定される（Ｓ９６０）。
【０１１２】
以上に説明した媒体判定装置９１００の判定動作においては、ステップＳ９２０の判定とＳ１０４０との判定の順序を入れ換え、定着位置判定を行った後に分割格納情報の整合性を判定するようにしてもよい。
【０１１３】
以上に説明したように、媒体判定装置９１００によれば、媒体に定着された複数の電子回路チップに分割して格納されたそれぞれの分割格納情報の整合性を判定するため、電子回路チップが剥離又は改ざんされたか否かを判定することができる。
【０１１４】
また、媒体判定装置９１００によれば、予め定められた媒体上の電子回路チップに対応した位置と検出された電子回路チップが定着された位置とが一致するか否かを判定するため、電子回路チップが剥離又は改ざんされたか否かを判定することができる。
【０１１５】
【発明の効果】
本発明によれば、媒体に定着させた電子回路チップが剥離されることを防止できる電子回路チップ定着装置及び媒体判定装置を提供することができる。
【図面の簡単な説明】
【図１】本発明の第１の実施の形態に係る電子回路チップ定着装置の構成を示すブロック図である。
【図２】本発明の第１の実施の形態に係る電子回路チップ定着装置におけるチップ選択の例を示す説明図である。
【図３】本発明の第１の実施の形態に係る電子回路チップ定着装置の動作を示すフローチャート。
【図４】本発明の第１の実施の形態に係る電子回路チップ定着装置によって電子回路チップ及びダミーチップが定着された被定着媒体の例を示す概念図である。
【図５】本発明の第２の実施の形態に係る電子回路チップ定着装置の構成を示すブロック図である。
【図６】本発明の第２の実施の形態に係る分割格納情報の例を示す説明図である。
【図７】本発明の第２の実施の形態に係る電子回路チップ定着装置の動作を示すフローチャートである。
【図８】本発明の第３の実施の形態に係る複写機の構成を示すブロック図である。
【図９】本発明の第３の実施の形態に係る媒体判定装置の判定動作を示すフローチャートである。
【図１０】本発明の第４の実施の形態に係る複写機の構成を示すブロック図である。
【図１１】本発明の第４の実施の形態に係る媒体判定装置の判定動作を示すフローチャートである。
【符号の説明】
１００、５００　電子回路チップ定着装置
１０１　媒体固定部
１０２、５０２　チップ収容部
１０３　ダミーチップ収容部
１１０　模様読込部
１２０　表示部
１３０、５３０　定着位置情報生成部
１４０　チップ選択部
１５０、５５０　チップ定着部
２１０、２２０、２３０、６２１、６２２、６２３　６２４、６２５、６２６列
５５０　チップ定着部
５６０　格納情報取得部
５６１　格納情報分割部
５６２　格納情報書込部
６１１、６１２、６１３　行
８０００、９０００　複写機
８１００、９１００　媒体判定装置
８１１０、９１１０　分割格納情報読取部
８１２０　分割格納情報判定部
８１３０　定着位置検出部
８１４０、９１４０　定着位置判定部
８１５０　画像形成制御部
８２００　画像形成装置
８２１０　読取制御部
８２２０　データ読取部
８２３０　画像処理部
８２４０　データ記録部
８２５０　情報書込部
９１６０　定着位置情報格納部
【図１】
2004110139.tif 000003
【図２】
2004110139.tif 000004
【図３】
2004110139.tif 000005
【図４】
2004110139.tif 000006
【図５】
2004110139.tif 000007
【図６】
2004110139.tif 000008
【図７】
2004110139.tif 000009
【図８】
2004110139.tif 000010
【図９】
2004110139.tif 000011
【図１０】
2004110139.tif 000012
【図１１】
2004110139.tif 000013